(57)【特許請求の範囲】
【請求項１】
第１の光ファイバケーブル（６０）から導出した第１の光ファイバ心線（６２）と第２の光ファイバケーブル（７０）から導出した第２の光ファイバ心線（７２）とを切替可能に接続する光分岐接続箱（５０）であって、
前記第１の光ファイバ心線を収納するための収納箱（６１）と、
一端が該収納箱内において前記第１の光ファイバ心線に対して融着接続またはメカニカルスプライス接続により接続され、かつ他端が前記第２の光ファイバ心線に対して接続切替可能にコネクタ接続されたジャンパコード（６５）とを備え、
前記ジャンパコード（６５）は、融着接続部（６５ａ）とＳＣコネクタ（６５ｂ）との間において、融着接続部（６５ａ）側から順に、少なくとも集合テープ化部（６６）、心線剥き出し部（６７）、コード部（６９）からなり、
前記コード部（６９）は、心線にチューブが被覆されてコード化がなされた領域であって、主に前記収納箱（６１）の外部に配置され、少なくとも前記心線剥き出し部（６７）および前記集合テープ化部（６６）は、前記収納箱（６１）内に収納されていることを特徴とする光分岐接続箱。
【請求項２】
請求項１記載の光分岐接続箱において、前記ジャンパコード（６５）は、直径が０．２５ｍｍ以上の光ファイバ心線により構成されていることを特徴とする光分岐接続箱。
【請求項３】
請求項１または２に記載の光分岐接続箱において、前記第２の光ファイバ心線（７２）を収納するための収納箱（７１）は、上下多段に積み重ねられていることを特徴とする光分岐接続箱。
【請求項４】
請求項１または２に記載の光分岐接続箱において、前記収納箱（６１）は、上下多段に積み重ねられていることを特徴とする光分岐接続箱。
【請求項５】
請求項１ないし４のいずれか１項に記載の光分岐接続箱において、前記第１の光ファイバケーブル（６０）における前記第１の光ファイバ心線（６２）とは反対側から導出した光ファイバ心線（８２）と、フロアケーブル（９２）とが、接続用コード（８５）を介して接続されたことを特徴とする光分岐接続箱。
【発明の詳細な説明】
【０００１】
【発明の属する技術分野】
本発明は、光ファイバケーブルを切替可能に接続するための光分岐接続箱に関するものである。
【０００２】
【従来の技術】
一般に、光ファイバケーブルを、光接続により光ファイバ心線へ分岐接続するに際しては、多数の光ファイバ心線を成端して群構成とする光分岐接続箱が使用されている。
【０００３】
従来より使用されている光分岐接続箱の一例について、図６を参照して説明する。
図６は、従来の光分岐接続箱１をある１つの光ファイバケーブルに注目して示すもので、符号１０は幹線ケーブル、１１は幹線側収納箱、２０は成端ケーブル、２１は成端側収納箱を示している。
【０００４】
幹線側収納箱１１は、内部に、幹線ケーブル１０から導出された光ファイバ心線１２とジャンパコード１５とを収納している。
光ファイバ心線１２は、例えば４心タイプのものであって、その接続端には４心用のＭＴ（Ｍｅｃｈａｎｉｃａｌｌｙ  Ｔｒａｎｓｆａｒａｂｌｅ）コネクタ１２ａが取り付けられている。
ジャンパコード１５は、一端が４心用のＭＴコネクタ１５ａとされ、４心から単心への分岐部１５ｂを経由して、他端が４つのＳＣコネクタ１５ｃとされている。
そして、光ファイバ心線１２とジャンパコード１５とは、ＭＴコネクタ１２ａ、１５ａどうしの接続により、互いに接続されている。
【０００５】
一方、成端側収納箱２１は、外壁にＳＣアダプタ２１ａが取り付けられているとともに、内部に、成端ケーブル２０から導出された光ファイバ心線２２と接続用コード２５とを収納している。
光ファイバ心線２２は、例えば４心タイプのものであって、その接続端には４心用のＭＴコネクタ２２ａが取り付けられている。
接続用コード２５は、ジャンパコード１５と同様の構成であって、一端が４心用のＭＴコネクタ２５ａとされ、４心から単心への分岐部２５ｂを経由して、他端が４つのＳＣコネクタ２５ｃとされている。
そして、光ファイバ心線２２と接続用コード２５とは、ＭＴコネクタ２２ａ、２５ａどうしの接続により、互いに接続されている。さらに、接続用コード２５のＳＣコネクタ２５ｃは、ＳＣアダプタ２１ａに差し込まれている。
【０００６】
上記構成のもとに、ジャンパコード１５のＳＣコネクタ１５ｃが、適宜、成端側収納箱２１のＳＣアダプタ２１ａに差し込まれることにより、光ファイバ心線１２、２２間の接続が接続切替可能になされるようになっている。
【０００７】
また、図６における光分岐接続箱１’は、光分岐接続箱１よりも小規模のものであって、幹線ケーブル１０から導出された光ファイバ心線３２と、フロアケーブル４２とを接続するためのものである。
【０００８】
光分岐接続箱１’において、収納箱３１は、内部に、光ファイバ心線３２と接続用コード３５とを収納している。
光ファイバ心線３２は、例えば４心タイプのものであって、その接続端には４心用のＭＴコネクタ３２ａが取り付けられている。
接続用コード３５は、一端が４心用のＭＴコネクタ３５ａとされ、４心から単心への分岐部３５ｂを経由して、他端が４つの単心用のＭＴコネクタ３５ｃとされている。
フロアケーブル４２は、単心からなるものである。
【０００９】
そして、光ファイバ心線３２と接続用コード３５とは、ＭＴコネクタ３２ａ、３５ａどうしの接続により、互いに接続されている。さらに、接続用コード３５のＭＴコネクタ３５ｃは、フロアケーブル４２に接続されている。
【００１０】
上記構成のもとに、光ファイバ心線３２とフロアケーブル４２とは、接続用コード３５を介して接続されている。
【００１１】
【発明が解決しようとする課題】
上記ジャンパケーブル１５は、図７に示すように、ＭＴコネクタ１５ａと分岐部１５ｂとの間については、４心テープ心線１６の周囲がチューブ１６ａにより被覆されることによりコード化されており、分岐部１５ｂとＳＣコネクタ１５ｃとの間については、単心心線１７の周囲がチューブ１７ａにより被覆されることによりコード化されている。結果的に、ジャンパケーブル１５は、太いものとなってしまい、ジャンパケーブル１５の接続余長を幹線側収納箱１１内に収容するに際して、非常にかさばってしまうこととなっていた。よって、幹線側収納箱１１の小型化が困難であるという問題があった。
この事情は、接続用ケーブル２５についても全く同様であり、よって、成端側収納箱２１の小型化も同様に困難であるという問題があった。
光分岐接続箱１は、幹線側収納箱１１、成端側収納箱２１が多数搭載されるものであるため、結局、光分岐接続箱１の小型化は、困難なものとなっていた。
同様の事情は、光分岐接続箱１’についても同様であり、光分岐接続箱１’の小型化もまた困難なものとなっていた。
【００１２】
しかも、上記光分岐接続箱１、１’においては、ＭＴコネクタを多数使用しているということにより、装置全体が高価なものとなってしまうという難点があった。
【００１３】
本発明は、上記事情に鑑みてなされたもので、個々の収納箱を小さくし得ることにより小型化を達成し得るとともに、コスト低減を図り得る光分岐接続箱を提供することを目的とする。
【００１４】
【課題を解決するための手段】
請求項１記載の光分岐接続箱においては、第１の光ファイバケーブルから導出した第１の光ファイバ心線と第２の光ファイバケーブルから導出した第２の光ファイバ心線とを切替可能に接続する光分岐接続箱であって、前記第１の光ファイバ心線を収納するための収納箱と、一端が該収納箱内において前記第１の光ファイバ心線に対して融着接続またはメカニカルスプライス接続により接続され、かつ他端が前記第２の光ファイバ心線に対して接続切替可能にコネクタ接続されたジャンパコードとを備え、前記ジャンパコードは、融着接続部とＳＣコネクタとの間において、融着接続部側から順に、少なくとも集合テープ化部、心線剥き出し部、コード部からなり、前記コード部は、心線にチューブが被覆されてコード化がなされた領域であって、主に前記収納箱の外部に配置され、少なくとも前記心線剥き出し部および前記集合テープ化部は、前記収納箱内に収納されていることを特徴としている。
請求項２記載の光分岐接続箱においては、請求項１記載の光分岐接続箱において、前記ジャンパコードは、直径が０．２５ｍｍ以上の光ファイバ心線により構成されていることを特徴としている。
請求項３記載の光分岐接続箱においては、請求項１または２に記載の光分岐接続箱において、前記第２の光ファイバ心線を収納するための収納箱は、上下多段に積み重ねられていることを特徴としている。
請求項４記載の光分岐接続箱においては、請求項１または２に記載の光分岐接続箱において、前記収納箱は、上下多段に積み重ねられていることを特徴としている。
請求項５記載の光分岐接続箱においては、請求項１ないし４のいずれか１項に記載の光分岐接続箱において、前記第１の光ファイバケーブルにおける前記第１の光ファイバ心線とは反対側から導出した光ファイバ心線と、フロアケーブルとが、接続用コードを介して接続されたことを特徴としている。
【００１５】
請求項１記載の発明によると、ジャンパコードの接続余長は、少なくとも一部が心線を剥き出しとした状態で収納箱内に収納されているので、ジャンパコードの接続余長がかさだかくならず、収納箱を小さく構成することが可能とされる。よって、光分岐接続箱の小型化が図られる。
また、光ファイバ心線どうしの接続が、融着接続またはメカニカルスプライス接続によりなされていることから、ＭＴコネクタが使用される場合に比べて、相対的にコストが低減される。
請求項２記載の発明によると、ジャンパコードは、直径が０．２５ｍｍ以上の光ファイバ心線により構成されているので、チューブによるコード化を要することなく、心線を剥き出しとした状態での収納箱内への収納が無理なく実現される。
請求項３記載の発明によると、第１の光ファイバ心線は、単心であり、かつ第２の光ファイバ心線に対して直接的に接続切替可能にコネクタ接続されているので、構成が単純となり、小型化が可能であるとともにコスト低減が可能である。
【００１６】
【発明の実施の形態】
以下、本発明の光分岐接続箱の実施の形態について、図面を参照して説明する。
【００１７】
〔第１実施形態〕
図１は、本発明の光分岐接続箱の第１実施形態を示すものである。この場合、図１は、光分岐接続箱５０、５０’をある１つの光ファイバケーブルに注目して示していることに注意されたい。
【００１８】
まず、光分岐接続箱５０について説明する。
図において、符号６０は幹線ケーブル（第１の光ファイバケーブル）、６１は幹線側収納箱（収納箱）、７０は成端ケーブル（第２の光ファイバケーブル）、７１は成端側収納箱を示している。
【００１９】
幹線側収納箱６１は、内部に、幹線ケーブル６０から導出された光ファイバ心線（第１の光ファイバ心線）６２とジャンパコード６５とを収納している。
光ファイバ心線６２は、例えば４心タイプのものである。
ジャンパコード６５は、直径が０．２５ｍｍの４本の単心心線からなるもので、一端が光ファイバ心線６２との融着接続部６５ａとされ、他端が４つのＳＣコネクタ６５ｂとされている。
そして、光ファイバ心線６２とジャンパコード６５とは、融着接続部６５ａにおいて融着接続されることにより、互いに接続されている。
【００２０】
ここで、図２を参照して、ジャンパコード６５の構成を詳細に説明する。
図２は、ジャンパコード６５を便宜的に展開して示す図であり、図において、ジャンパコード６５は、融着接続部６５ａとＳＣコネクタ６５ｂとの間において、融着接続部６５ａ側から順に、集合テープ化部６６、心線剥き出し部６７、ナイロン被覆部６８、コード部６９とされている。この場合、心線剥き出し部６７およびコード部６９については、図示の都合上、途中を省略してあることに注意されたい。
集合テープ化部６６は、４本の心線が束ねられている領域である。
心線剥き出し部６７は、直径が０．２５ｍｍの４本の単心心線が剥き出しとされている領域であって、この心線剥き出し部６７は、接続余長として幹線側収納箱６１内に収納されるものである。このように、心線を剥き出しとして収納箱中に収納することは、心線の直径が０．２５ｍｍ（あるいは、これ以上の直径でも良い）であることにより無理なく実現することが可能とされている。この場合、心線の直径が０．２５ｍｍよりも小さいと、心線自体の機械的強度が弱くなるため、剥き出しの状態で接続余長として収納箱内に収納することが困難となる。
ナイロン被覆部６８は、心線に薄いナイロン被覆がなされた領域である。
コード部６９は、心線に比較的厚いチューブが被覆されてコード化がなされた領域であって、主に幹線側収納箱６１の外部に配置されるものである。
【００２１】
一方、成端側収納箱７１は、外壁にＳＣアダプタ７１ａが取り付けられているとともに、内部に、成端ケーブル７０から導出された光ファイバ心線７２を収納している。
光ファイバ心線７２は、例えば４心タイプのものであって、成端側収納箱７１内において単心分岐され、単心とされた接続端の各々には、ＳＣコネクタ７２ａが取り付けられている。
そして、これらＳＣコネクタ７２ａは、ＳＣアダプタ７１ａに差し込まれている。
【００２２】
ここで、図３を参照して、成端側収納箱７１の構成例について、詳細に説明する。
成端側収納箱７１は、収納箱本体７１ｂとカバー７１ｃとから構成されており、図３においては、便宜的にカバー７１ｃを上方に移動させた状態を示している。
収納箱本体７１ｂには、接続余長を巻回させるためのリール７１ｄ、心線を係止するための突片７１ｅ、心線をクランプするための心線クランプ部７１ｆ等が設けられている。
各光ファイバ心線７２は、収納箱本体７１ｂ内へと導入された後、接続余長の調整のためにリール７１ｄを巻回され、その途中で単心へと分岐がなされ、心線クランプ部７１ｆにクランプされ、最終的には、ＳＣコネクタ７２ａがＳＣアダプタ７１ａへと差し込まれている。
【００２３】
上記構成のもとに、ジャンパコード６５のＳＣコネクタ６５ｃが、適宜、成端側収納箱７１のＳＣアダプタ７１ａに差し込まれることにより、光ファイバ心線６２、７２間の接続が接続切替可能になされるようになっている。
【００２４】
また、図４には、光分岐接続箱５０の全体構成を概略的に示す。図４においては、便宜上、前扉を取り除いた状態を示していることに注意されたい。
図に示すように、幹線ケーブル６０、成端ケーブル７０は、下方から光分岐接続箱５０内へと挿入されているとともに、ケーブルクランプ５０ａによりクランプされている。
そして、幹線側収納箱６１は、多段に積み重ねられているとともに、成端側に向けて横方向にジャンパ線６５が引き出されている。
さらに、成端側収納箱７１は、多段に積み重ねられているとともに、ジャンパ線６５のＳＣコネクタ６５ｂによる接続切替を容易ならしめるよう、前面側にＳＣアダプタ７１ａを向けて整然と配置されている。
【００２５】
なお、幹線側収納箱６１については、成端側収納箱７１と比較して、
▲１▼導入ガイド部６１ａ、導出ガイド部６１ｂ、融着接続部６５ａのためのクランプ部が設けられている点、
▲２▼外壁にＳＣアダプタが設けられていない点、
を除いて、基本的には同様の構成である。
【００２６】
上記光分岐接続箱５０によれば、ジャンパコード６５は、主に心線剥き出し部６７を接続余長として幹線側収納箱６１内に収納されているので、ジャンパコード６５の接続余長がかさだかくならず、幹線側収納箱６１を小さく構成することができ、よって、光分岐接続箱５０の小型化が達成できる。
また、光ファイバ心線６２とジャンパコード６５との接続が、融着接続によりなされていることから、ＭＴコネクタが使用される場合に比べて、相対的にコストを低減することができる。
【００２７】
しかも、ジャンパコード６５は、直径が０．２５ｍｍの光ファイバ心線により構成されているので、チューブによるコード化を要することなく、心線を剥き出しとした状態での幹線側収納箱６１内への収納を無理なく実現することができる。
【００２８】
さて、次に、図１に示す光分岐接続箱５０’について説明する。
光分岐接続箱５０’は、光分岐接続箱５０よりも小規模のものであって、幹線ケーブル６０から導出された光ファイバ心線８２と、フロアケーブル９２とを接続するためのものである。
【００２９】
光分岐接続箱５０’において、収納箱８１は、内部に、光ファイバ心線８２と接続用コード８５とを収納している。
光ファイバ心線８２は、例えば４心タイプのものである。
接続用コード８５は、直径が０．２５ｍｍの４本の単心心線からなるもので、一端が光ファイバ心線８２に対して光接続部８５ａにおいてメカニカルスプライス接続されており、他端がフロアケーブル９２に対して光接続部８５ｂにおいてメカニカルスプライス接続されている。
フロアケーブル９２は、単心からなるものである。
【００３０】
上記構成のもとに、光ファイバ心線８２とフロアケーブル９２とは、接続用コード８５を介して接続されている。
【００３１】
光分岐接続箱５０’においては、上記光分岐接続箱５０と同様の作用効果を奏することができる。すなわち、接続用コード８５が、ジャンパコード６５と同様にかさだかくならないことにより、個々の収納箱８１を小さくしすることができ、よって、光分岐接続箱５０’の小型化を達成することができる。加えて、ＭＴコネクタを使用せず、メカニカルスプライス接続を使用しているため、コスト低減を図ることができる。
【００３２】
〔第２実施形態〕
図５は、本発明の光分岐接続箱の第２実施形態を示すものである。この場合、図２は、図１と同様に、光分岐接続箱１００、１００’をある１つの光ファイバケーブルに注目して示していることに注意されたい。
本実施形態は、幹線ケーブルが単心心線からなる場合の構成例を示すものである。
【００３３】
まず、光分岐接続箱１００について説明する。
図において、符号１１０は幹線ケーブル（第１の光ファイバケーブル）、１２０は成端ケーブル（第２の光ファイバケーブル）、１２１は収納箱を示している。
【００３４】
光ファイバ心線１１２は、単心心線からなるものである。そして、光ファイバ心線１１２の接続端には、ＳＣコネクタ１１２ａが、取り付けられている。
収納箱１２１は、外壁にＳＣアダプタ１２１ａが取り付けられているとともに、内部に、成端ケーブル１２０から導出された光ファイバ心線１２２を収納している。
光ファイバ心線１２２は、例えば４心タイプのものであって、収納箱１２１内において単心分岐され、単心とされた接続端の各々には、ＳＣコネクタ１２２ａが取り付けられている。
そして、これらＳＣコネクタ１２２ａは、ＳＣアダプタ１２１ａに差し込まれている。
【００３５】
上記構成のもとに、光ファイバ心線１１２のＳＣコネクタ１１２ａを、直接、適宜、収納箱１２１のＳＣアダプタ１２１ａに差し込むことにより、光ファイバ心線１１２、１２２間の接続が接続切替可能になされるようになっている。
【００３６】
上記光分岐接続箱１００においては、光ファイバ心線１１２は、単心であり、かつ光ファイバ心線１２２に対して直接的に接続切替可能にＳＣコネクタによりコネクタ接続されているので、構成を単純とすることができ、小型化が可能である。加えて、ＭＴコネクタを使用せず、ＳＣコネクタによるコネクタ接続を使用していることにより、相対的にコスト低減を達成することができる。
【００３７】
次に、図５に示す光分岐接続箱１００’について説明する。
光分岐接続箱１００’は、光分岐接続箱１００よりも小規模のものであって、幹線ケーブル１１０から導出された光ファイバ心線１３２と、フロアケーブル１４２とを接続するためのものである。
【００３８】
光分岐接続箱１００’において、収納箱１３１は、内部に、光ファイバ心線１３２を収納している。
光ファイバ心線１３２およびフロアケーブル１４２は、単心心線からなるものである。
そして、これら光ファイバ心線１３２およびフロアケーブル１４２は、光接続部１３２ａにおいてメカニカルスプライスにより接続されている。
【００３９】
光分岐接続箱１００’においては、より一層構成を単純とすることができ、小型化が可能である。加えて、ＭＴコネクタを使用せず、メカニカルスプライスによる接続を使用していることにより、相対的にコスト低減を達成することができる。
【００４０】
なお、本発明は、上記実施形態に何ら限定されるものではなく、以下のような変形を行っても、もちろん本発明の主旨を逸脱することはない。
ａ）光ファイバケーブルとして、様々な材質・構成を有する任意の種類の光ファイバケーブルを使用すること。
ｂ）光ファイバケーブルとして、単心および４心の例示を行ったが、これに代えて、任意の心線数の光ファイバケーブルを使用すること。この場合、使用される心線数に応じて適宜設計変更がなされることはもちろんである。
ｃ）上記第１および第２実施形態における融着接続部分を、ＳＣコネクタによる接続、あるいはメカニカルスプライスによる接続に変更すること。
ｄ）上記第１および第２実施形態におけるメカニカルスプライスによる接続部分を、融着接続、あるいはＳＣコネクタによる接続に変更すること。
ｅ）ジャンパコード６５等を図２に示す構成とすることに代えて、他の任意の構成とすること。ただし、この場合、収納箱内に接続余長として収納される部分を主に心線剥き出し部とすることはもちろんである。
ｆ）ジャンパコード６５等において、直径が０．２５ｍｍの光ファイバ心線を使用することに代えて、直径が０．２５ｍｍよりも大きい光ファイバ心線を使用すること。
【００４１】
【発明の効果】
本発明の光分岐接続箱によれば、以下の効果を奏する。
請求項１記載の光分岐接続箱によれば、ジャンパコードの接続余長は、少なくとも一部が心線を剥き出しとした状態で収納箱内に収納されているので、ジャンパコードの接続余長がかさだかくならず、収納箱を小さく構成することができ、よって、光分岐接続箱の小型化が達成できる。
また、光ファイバ心線どうしの接続が、融着接続またはメカニカルスプライス接続によりなされていることから、ＭＴコネクタが使用される場合に比べて、相対的にコストを低減することができる。
請求項２記載の光分岐接続箱によれば、ジャンパコードは、直径が０．２５ｍｍ以上の光ファイバ心線により構成されているので、チューブによるコード化を要することなく、心線を剥き出しとした状態での収納箱内への収納を無理なく実現することができる。
請求項３記載の光分岐接続箱によれば、第１の光ファイバ心線は、単心であり、かつ第２の光ファイバ心線に対して直接的に接続切替可能にコネクタ接続されているので、構成を単純とすることができ、小型化が可能であるとともにコスト低減を達成することができる。
【図面の簡単な説明】
【図１】  本発明の光分岐接続箱の第１実施形態を示す説明図である。この場合、光分岐接続箱は、ある１つの光ファイバケーブルのみに注目して示されている。
【図２】  図１におけるジャンパコードの展開図である。
【図３】  図１における成端側収納箱を示す斜視図である。
【図４】  図１における光分岐接続箱の全体構成を概略的に示す正面図である。この場合、便宜上、前扉を取り除いた状態を示している。
【図５】  本発明の光分岐接続箱の第２実施形態を示す説明図である。この場合、光分岐接続箱は、ある１つの光ファイバケーブルのみに注目して示されている。
【図６】  従来の光分岐接続箱の構成例を示す説明図である。この場合、光分岐接続箱は、ある１つの光ファイバケーブルのみに注目して示されている。
【図７】  図２におけるジャンパコードの展開図である。
【符号の説明】
５０…光分岐接続箱、６０…幹線ケーブル（第１の光ファイバケーブル）、６１…幹線側収納箱（収納箱）、６５…ジャンパコード、７０…成端ケーブル（第２の光ファイバケーブル）、１００…光分岐接続箱、１１０…幹線ケーブル（第１の光ファイバケーブル）、１２０…成端ケーブル（第２の光ファイバケーブル）。
【図１】
0003865814.tif 000002
【図２】
0003865814.tif 000003
【図３】
0003865814.tif 000004
【図４】
0003865814.tif 000005
【図５】
0003865814.tif 000006
【図６】
0003865814.tif 000007
【図７】
0003865814.tif 000008